(57)【要約】【課題】冷気または暖気が常に離れた所まで届き、空間的なむらがないように冷暖房を行うことができるエアコンディショナーを提供する。【解決手段】上側水平空間４ｃへ流入した空気は送風装置２１によって空気排出口７から吸引した空気と共に、空気排出口７から放出される。即ち、送風装置２１は、空気排出口７から空気を吸引し、この空気はカバー２７の開口２８から取り込まれる。そして、この空気排出口７から吸引された空気は、垂直空間４ｂを通って上側水平空間４ｃへ流入した空気と共に空気排出口７から放出される。言わば、上側水平空間４ｃは冷気または暖気と空気排出口７から吸引された空気とが溜まる空気溜り室として機能し、冷気または暖気は送風装置２１によって発生させられる気流に乗って、かなり離れたところまで届くことになる。【選択図】      図３
2004271082.tif 000002
【特許請求の範囲】
【請求項１】
空気取り込み口と、前記空気取り込み口から取り込んだ空気を冷却または加温する熱交換手段と、前記熱交換手段によって冷却または加温された空気を排出する空気排出口と、前記空気排出口から空気を吸引して、この吸引した空気を前記冷却または加温された空気と共に前記空気排出口から送出する空気送出手段が備えられていることを特徴とするエアコンディショナー。
【請求項２】
請求項１に記載したエアコンディショナーにおいて、空気送出手段は、送出する風量及び風力を変更する風量・風力変更手段を備えたことを特徴とするエアコンディショナー。
【請求項３】
請求項１または２に記載したエアコンディショナーにおいて、室内に配置する筐体を具備し、前記筐体の下部に空気取り込み口が備えられ、前記筐体の上部に空気排出口が備えられていることを特徴とするエアコンディショナー。
【請求項４】
請求項３に記載したエアコンディショナーにおいて、筐体には物品を収納する収納部が設けられていることを特徴とするエアコンディショナー。
【請求項５】
請求項３または４に記載したエアコンディショナーにおいて、筐体の高さ寸法は１５０ｃｍ〜２５０ｃｍであることを特徴とするエアコンディショナー。
【請求項６】
請求項１または２に記載したエアコンディショナーにおいて、空気取り込み口は室外に備えられ、空気排出口は室内に備えられていることを特徴とするエアコンディショナー。
【発明の詳細な説明】
【０００１】
【発明の属する技術分野】
本発明はエアコンディショナーに関するものである。
【０００２】
【従来の技術】
従来のエアコンディショナーは、ファンによって筐体内に取り込んだ空気を熱交換手段によって冷却または加温して、この冷気または暖気を室内に排出する。従って、エアコンディショナーを例えば「強」に設定して運転した場合には、風量が多く、風力が強くなるようにファンが駆動し、また「弱」に設定して運転した場合には、風量が少なく、風力が弱くなるようにファンが駆動する。
【０００３】
【発明が解決しようとする課題】
このエアコンディショナーは「強」に設定して運転した場合には、冷気または暖気がある程度離れた所まで届くが、「弱」に設定して運転した場合には、近い所にしか冷気または暖気が届かず、どうしても冷暖房に空間的なむらができてしまう。だからと言ってエアコンディショナーを「強」に常時設定して運転したのでは、室内の温度が低くなり過ぎたり、高くなり過ぎたりしてしまうことになる。
【０００４】
本発明は上記した問題点に鑑みて為されたものであり、冷気または暖気が常に離れた所まで届き、空間的なむらがないように冷暖房を行うことができるエアコンディショナーを提供することを目的とする。
【０００５】
【課題を解決するための手段】
この目的を達成するために、請求項１の発明は、空気取り込み口と、前記空気取り込み口から取り込んだ空気を冷却または加温する熱交換手段と、前記熱交換手段によって冷却または加温された空気を排出する空気排出口と、前記空気排出口から空気を吸引して、この吸引した空気を前記冷却または加温された空気と共に前記空気排出口から送出する空気送出手段が備えられていることを特徴とするエアコンディショナーである。
【０００６】
請求項２の発明は、請求項１に記載したエアコンディショナーにおいて、空気送出手段は、送出する風量及び風力を変更する風量・風力変更手段を備えたことを特徴とするエアコンディショナーである。
【０００７】
請求項３の発明は、請求項１または２に記載したエアコンディショナーにおいて、室内に配置する筐体を具備し、前記筐体の下部に空気取り込み口が備えられ、前記筐体の上部に空気排出口が備えられていることを特徴とするエアコンディショナーである。
【０００８】
請求項４の発明は、請求項３に記載したエアコンディショナーにおいて、筐体には物品を収納する収納部が設けられていることを特徴とするエアコンディショナーである。
【０００９】
請求項５の発明は、請求項３または４に記載したエアコンディショナーにおいて、筐体の高さ寸法は１５０ｃｍ〜２５０ｃｍであることを特徴とするエアコンディショナーである。
【００１０】
請求項６の発明は、請求項１または２に記載したエアコンディショナーにおいて、空気取り込み口は室外に備えられ、空気排出口は室内に備えられていることを特徴とするエアコンディショナーである。
【００１１】
【発明の実施の形態】
以下に、図１から図５によって本発明の第１実施の形態に係るエアコンディショナー１を説明する。
符号３は筐体を示し、この筐体３の高さ寸法は２２０ｃｍで、幅寸法は１００ｃｍである。筐体３の下部には空気取り込み口５が設けられ、上部には空気排出口７が設けられている。空気取り込み口５、空気排出口７の高さ寸法は２０ｃｍである。筐体３の高さ寸法は１５０ｃｍ〜２５０ｃｍの範囲で、また幅寸法は５０ｃｍ〜１２０ｃｍの範囲で適宜変更できる。特に筐体３の高さ寸法は空気排出口７の位置がエアコンディショナー１を設置する部屋の天井近くに位置するように適宜変更する。空気取り込み口５がエアコンディショナー１を設置する部屋の床近くに位置し、しかも空気排出口７がエアコンディショナー１を設置する部屋の天井近くに位置すれば、後述するように部屋内の空気に対流を発生させることができる。
【００１２】
また、空気取り込み口５と空気排出口７との間には物品を収納できる収納部９、１０が設けられており、収納部９、１０には棚板２９が備えられている。筐体３の内側面と収容部９、１０の外側面とによって画される空間４を後述するように空気が通過する。この空間４は、空気取り込み口５に対向する下側水平空間４ａ、この下側水平空間４ａから垂直方向へ延びる垂直空間４ｂ、さらに垂直空間４ｂから空気排出口７へ水平に延びる上側水平空間４ｃとから構成されている。
【００１３】
筐体３の空気取り込み口５には横格子を有する枠体１１が嵌められている。この枠体１１の後方には２枚の除塵フィルター１３が備えられている。
また、筐体３には、空気取り込み手段としての吸引ファン１７が備えられ、この吸引ファン１７は空気取り込み口５に対向している。吸引ファン１７は、電動モーター（図示せず）によって駆動され、調節スイッチ（図示せず）を操作することによって、電動モーターに供給する電力（電流または電圧）を変更して、その風量及び風力を「強」、「中」、「弱」の三段階に変更することができる。
【００１４】
筐体３の空気排出口７には可動フィンを有する枠体１９が嵌められており、この枠体１９の後方には空気送出手段として送風装置２１が備えられている。この送風装置２１はファン２３、このファン２３を駆動する電動モーター２５、ファン２３の周方向を覆うカバー２７とによって構成されている。カバー２７には細長い長方形の開口２８が多数形成されている。送風装置２１には、その風量及び風力を段階的に変更することができる風量・風力変更手段が備えられ、図示しない調節スイッチを操作することによって、電動モーター２５に供給する電力（電流または電圧）を変更して、その風量及び風力を「強」、「中」、「弱」の三段階に変更することができる。
【００１５】
また収納部９、１０の前面開口を覆うように開閉扉３１が取り付けられている。開閉扉３１は開閉自在であり、また取っ手３３が取り付けられている。
垂直空間４ｂには金属管によって構成されるコイル７３が配置され、このコイル７３の端部は圧縮機７５に接続されている。圧縮機７５とコイル７３との間で冷媒が循環するようになっている。
【００１６】
次に、このエアコンディショナー１の操作及び動作について説明する。
エアコンディショナー１を床に設置して部屋内に備え付ける。筐体３は前記した高さ寸法を有し、また空気取り込み口５、空気排出口７も前記した高さ寸法を有しているので、空気取り込み口５は床から５ｃｍ程度から２５ｃｍ程度の範囲に位置し、空気排出口７は床から２００ｃｍから２２０ｃｍ程度の範囲に位置することになる。
図示しないスイッチを入れ、吸引ファン１７及び送風装置２１のファン２３を作動させる。そして、図示しない調節スイッチを操作して吸引ファン１７の風量及び風力を「弱」に設定し、また送風装置２１の風量及び風力を「強」に設定する。
【００１７】
吸引ファン１７によって室内の空気が矢印で示すように吸引され、空気取り込み口５から下側水平空間４ａへ導入される。空気取り込み口５から導入された空気は除塵フィルター１３を通過し、この除塵フィルター１３によって空気中の埃等が捕捉される。次いで、空気は垂直空間４ｂに到達し、この垂直空間４ｂに到達した空気はコイル７３によって冷却または加温される。
即ち、冷房を行う場合にはコイル７３が蒸発器として機能し、また暖房を行う場合にはコイル７３が凝縮器として機能する。この冷却または加温された空気が上側水平空間４ｃへ流入する。そして、この冷却された空気（以下、冷気という。）または加温された空気（以下、暖気という。）は送風装置２１によって空気排出口７から吸引した空気と共に、空気排出口７から放出される。
【００１８】
図５に示すように、上側水平空間４ｃへ流入した冷気または暖気は送風装置２１によって空気排出口７から吸引された空気によって構成される流れに乗って、空気排出口７から放出される。即ち、送風装置２１は、図５において矢印で示すように、空気排出口７から空気を吸引し、この空気はカバー２７の開口２８から取り込まれる。そして、この空気排出口７から吸引された空気は、垂直空間４ｂを通って上側水平空間４ｃへ流入した冷気または暖気と共に空気排出口７から放出される。言わば、上側水平空間４ｃは冷気または暖気と空気排出口７から吸引された空気とが溜まる空気溜り室として機能し、冷気または暖気は送風装置２１によって発生させられる気流に乗って搬送され、かなり離れた所まで届くことになる。
【００１９】
このようにエアコンディショナー１では、空気取り込み口５から取り込んだ空気だけでなく、空気排出口７から吸引した空気も、送風装置２１によって空気排出口７から送出する。従って、空気排出口７から大容量の空気がかなり大きな風力をもって送出されることになる。しかも、空気取り込み口５は床から５ｃｍ程度から２５ｃｍ程度の範囲に位置し、空気排出口７は床から２００ｃｍから２２０ｃｍ程度の範囲に位置しているので、床近くの空気が吸引されて天井近くの高位置に排出されることになる。従って、室内に対流が発生し、冷暖房の空間的なむらの発生を防止することができる。
特に、上記したように、吸引ファン１７の風量及び風力が「弱」に設定されていても、送風装置２１の風量及び風力を「強」に設定すれば、冷気または暖気をエアコンディショナー１から離れた所へ到達させることができる。
【００２０】
図６によって本発明の第２実施の形態に係るエアコンディショナー８１を説明する。
このエアコンディショナー８１は第１の実施の形態に係るエアコンディショナー１と同様の構成部分を有するので、同様の構成部分については第１の実施の形態で用いた符号と同じ符号を付して説明を省略し、エアコンディショナー８１についてはエアコンディショナー１と異なる部分についてのみ説明する。
【００２１】
エアコンディショナー８１の筐体８２の高さ寸法は１５０ｃｍであり、収納部は設けられていないタイプで、床から天井までの寸法が小さく、それ程大きくない部屋に設置するものである。
このエアコンディショナー８１の動作は、第１の実施の形態に係るエアコンディショナー１と同様である。
【００２２】
図７、図８によって第３の実施の形態に係るエアコンディショナー９１を説明する。
このエアコンディショナー９１は、ホテル等のように、冷気または暖気を発生させる大型の装置を一ヶ所に設け、そこから冷気または暖気が管路を通して複数の宿泊室に供給されるタイプのエアコンディショナーである。
このエアコンディショナー９１は第１の実施の形態に係るエアコンディショナー１と同様の構成部分を有するので、同様の構成部分については第１の実施の形態で用いた符号と同じ符号を付して説明を省略し、エアコンディショナー９１についてはエアコンディショナー１と異なる部分についてのみ説明する。
【００２３】
符号９３はホテル等の建物内に配された管路を示し、この管路９３の両端は、図示しない冷気または暖気を発生させる装置に接続され、管路を冷気または暖気が循環する。この冷気または暖気を発生させる装置には空気取り込み口が設けられ、空気取り込み口から取り込んだ空気を冷却して冷気とし、または加温して暖気として管路９３へ送るようになっている。従って、空気取り込み口は後述する宿泊室１０３の外（室外）に備えられている。
【００２４】
管路９３には枝管９５の一端が接続され、この枝管９５にはファン９７が収容されている。枝管９５の他端は筐体９９が接続されており、この筐体９９は壁に収容されている。筐体９９の前面は開口して空気排出口１０１が設けられ、この空気排出口１０１は宿泊室１０３の壁面１０５から露出している。空気排出口１０１には枠体１９が嵌められ、また筐体９９には送風装置２１が備えられている。
なお、空気排出口１０１は床１０７から１５０ｃｍ〜２５０ｃｍの高さに配置する。
【００２５】
このエアコンディショナー９１では、常時、管路９３には冷気または暖気が循環しており、宿泊室１０３に備えられたスイッチを入れると、ファン９７、送風装置２１のファン２３を作動する。これにより管路９３を循環している冷気または暖気が枝管９５を介して筐体９９へ導入される。また、送風装置２１は、図８において矢印で示すように、空気排出口１０１から空気を吸引し、この空気はカバー２７の開口２８から取り込まれる。そして、この空気排出口１０１は、冷気または暖気と共に空気溜り室として機能する筐体９９から空気排出口１０１を介して放出される。ファン９７の風量・風力に拘わらず、冷気または暖気は送風装置２１によって発生させられる気流に乗って、かなり離れた所まで搬送されて届く。
なお、上記第１から第３の実施の形態において、熱交換を行わず冷気または暖気を発生させないで、エアコンディショナーを作動させれば、サーキュレーターとして機能することになる。
【００２６】
以上、本発明の実施の形態について詳述してきたが、具体的構成は、この実施の形態に限られるものではなく、本発明の要旨を逸脱しない範囲における設計の変更などがあっても発明に含まれる。
例えば、上記第１及び第２の実施の形態では、室内の床に設置するタイプのエアコンディショナーを示したが、本発明はこれに限定されず、壁埋め込み式のエアコンディショナーに適用することもできる。
【００２７】
上記実施の形態に係るエアコンディショナーの筐体内にオゾン発生装置を備えて、このオゾン発生装置から発生するオゾンによって、空気を殺菌する構成としてもよい。この場合にはオゾンが機外に出るのを防止するための装置を備える。
【００２８】
また、空気排出口も筐体の上部だけでなく、中間部に設けてもよく、高さ方向の位置は自由に変更してもよい。筐体の側面、背面、上面に設けることも可能である。
さらに、上記実施の形態では、送風装置２１の風量及び風力を「強」、「中」、「弱」の三段階に変更することができるようにしたが、三段階ではなく二段階或いは四段階以上でもよく、さらに無段階に連続的に変更できるようにしてもよい。
また、上記実施の形態では、送風装置２１のファン２３が水平方向を向く姿勢に固定されているが、本発明はこれに限定されず、上方、斜め上方、斜め下方等、水平方向以外の方向を向く姿勢に固定してもよく、また送風装置２１の姿勢を変更できる構成としてもよい。
【００２９】
【発明の効果】
以上のように、本発明のエアコンディショナーによれば、冷気または暖気が常に離れた所まで届き、空間的なむらがないように冷暖房を行うことができるようになる。
【図面の簡単な説明】
【図１】本発明の第１実施の形態に係るエアコンディショナーの斜視図である。
【図２】本発明の第１実施の形態に係るエアコンディショナーの正面図である。
【図３】本発明の第１実施の形態に係るエアコンディショナーの縦断面図である。
【図４】本発明の第１実施の形態に係るエアコンディショナーの筐体内に収容される構成部材及び筐体外に備えられる部材の斜視図である。
【図５】本発明の第１実施の形態に係るエアコンディショナーの動作を説明するための斜視図である。
【図６】本発明の第２実施の形態に係るエアコンディショナーの縦断面図である。
【図７】本発明の第３実施の形態に係るエアコンディショナーの斜視図である。
【図８】本発明の第３実施の形態に係るエアコンディショナーの部分斜視図である。
【符号の説明】
１    エアコンディショナー          ３    筐体
４    空間                          ４ａ  下側水平空間
４ｂ  垂直空間                      ４ｃ  上側水平空間
５    空気取り込み口                ７    空気排出口
９    収納部                      １０    収納部
１１    枠体                        １３    除塵フィルター
１７    吸引ファン                  １９    枠体
２１    送風装置                    ２３    ファン
２５    電動モーター                ２７    カバー
２８    開口                        ２９    棚板
３１    開閉扉                      ３３    取っ手
４２    筐体                        ７３    コイル
７５    圧縮機                      ７７    中間水平空間
７８    空気取り込み口              ８１    エアコンディショナー
９１    エアコンディショナー        ９３    管路
９５    枝管                        ９７    ファン
９９    筐体                      １０１    空気排出口
１０３    宿泊室                    １０５    壁面
１０７    床
【図１】
2004271082.tif 000003
【図２】
2004271082.tif 000004
【図３】
2004271082.tif 000005
【図４】
2004271082.tif 000006
【図５】
2004271082.tif 000007
【図６】
2004271082.tif 000008
【図７】
2004271082.tif 000009
【図８】
2004271082.tif 000010